【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
共有プレゼンテーション体験において視覚表現をレンダリングする方法であって、
情報のプレゼンテーションをレンダリングするステップと、
物理空間のデーターを取り込むステップであって、取り込まれた前記データーが、前記物理空間における複数のユーザーを表す、ステップと、
前記物理空間の取り込まれた前記データーに基づいて、前記複数のユーザーのうちの第１のユーザーの識別を決定するステップと、
前記第１のユーザーの前記識別に基づき、前記第１のユーザーの格納されたユーザー・プロファイルにアクセスするステップであって、前記格納されたユーザー・プロファイルが、前記情報のプレゼンテーションを提示するために前記第１のユーザーがアクセスを有するかどうかを示す、ステップと、
前記格納されたユーザー・プロファイルに基づき前記第１のユーザーが前記情報のプレゼンテーションを提示するためにアクセスを有することを決定するステップと、
前記第１のユーザーが前記プレゼンテーションを提示するためにアクセスを有することの決定に基づいて、レンダリングされた前記情報のプレゼンテーションを前記第１のユーザーが制御できることを決定するステップと、
前記複数のユーザーの各々に対応する少なくとも１つの視覚表現をレンダリングするステップであって、前記少なくとも１つの視覚表現が、前記レンダリングされた情報のプレゼンテーションと相互作用するように構成された、ステップと、
を含む、方法。
【請求項２】
請求項１記載の方法において、前記少なくとも１つの視覚表現が、前記プレゼンテーションの一部と相互作用するアニメーションを介して、前記レンダリングされた情報のプレゼンテーションと相互作用するように構成された、方法。
【請求項３】
請求項２記載の方法において、前記少なくとも１つの視覚表現のアニメーションが、前記複数のユーザーのうち少なくとも一人のジェスチャーに対応する、方法。
【請求項４】
請求項２記載の方法であって、更に、アバター・ライブラリーから前記アニメーションを前記少なくとも１つの視覚表現に適用するステップを含む、方法。
【請求項５】
請求項１記載の方法において、前記複数のユーザーの各々が、別個の視覚表現に対応する、方法。
【請求項６】
請求項１記載の方法において、前記複数のユーザーの各々が、同じ視覚表現に対応する、方法。
【請求項７】
請求項１記載の方法において、前記少なくとも１つの視覚表現が、キャプチャー・デバイスによって検出されたユーザーの特徴に対応する、方法。
【請求項８】
請求項１記載の方法において、前記複数のユーザーのうち少なくとも一人への前記プレゼンテーションの制御が、前記複数のユーザーのうち前記少なくとも一人に対応する前記視覚表現の特徴によって示すことができる、方法。
【請求項９】
請求項１記載の方法であって、更に、
前記物理空間の追加のデーターを取り込むステップと、
取り込まれた前記追加のデーターに基づいて、前記複数のユーザーのうちの第２のユーザーの識別を決定するステップと、
取り込まれた前記追加のデーターに基づいて前記情報のプレゼンテーションを受ける要求を示す動きまたはポーズを前記第２のユーザーが行ったと決定するステップと、
前記第２のユーザーの識別に基づいて前記第２のユーザーの電子メール・アドレスを決定するステップと、
前記第２のユーザーの動きまたはポーズに基づいて前記第２のユーザーに対し前記情報のプレゼンテーションを電子メールで知らせるステップと、
を含む、方法。
【請求項１０】
請求項１記載の方法であって、更に、
前記物理空間の追加のデーターを取り込むステップと、
取り込まれた前記追加のデーターに基づいて前記複数のユーザーのうちの第２のユーザーが注目していないあるいは警戒していないと決定するステップと、
前記第２のユーザーの注目していないあるいは警戒していないことを前記第１のユーザーに知らせるステップと、
を含む、方法。
【請求項１１】
請求項１記載の方法であって、更に、
前記物理空間の追加のデーターを取り込むステップと、
前記情報のプレゼンテーションの現在の部分が大量のテキストを含むときに前記複数のユーザーのうちの第２のユーザーが注目していないあるいは警戒していないと決定するステップと、
前記情報のプレゼンテーションの今後の部分が大量のテキストを含むことを前記ユーザーに知らせるステップと、
を含む、方法。
【請求項１２】
請求項１記載の方法であって、更に、
レンダリングされた前記情報のプレゼンテーションと相互作用する権限を前記複数のユーザーのうちの第２のユーザーが欠いていることを決定するステップ、
を含み、
前記複数のユーザーの各々に対応する少なくとも１つの視覚表現をレンダリングすることが、
レンダリングされた前記情報のプレゼンテーションと相互作用する権限を前記第２のユーザーが欠いていることの指示を、前記第２のユーザーにレンダリングすること、
を含む、方法。
【請求項１３】
請求項１記載の方法であって、更に、
前記物理空間の取り込まれた前記データーにおける前記第２ユーザーの位置に基づき、前記複数のユーザーのうちの第２のユーザーがレンダリングされた前記情報のプレゼンテーションと相互作用するアクセス・レベルを決定するステップ、
を含む、方法。
【請求項１４】
請求項１記載の方法であって、更に、
前記物理空間の追加のデーターを取り込むステップと、
前記物理空間の前記追加のデーターに基づき、前記複数のユーザーのうちの第２のユーザーを前記第１のユーザーが紹介したことを決定するステップと、
前記第１のユーザーの識別に基づいて前記第１のユーザーの連絡先情報を決定するステップと、
前記第１と第２のユーザーの間の前記紹介に基づいて前記第１のユーザーの連絡先情報を前記第２のユーザーに送るステップと、
を含む、方法。
【請求項１５】
請求項１記載の方法であって、更に、
前記物理空間の追加のデーターを取り込むステップと、
前記複数のユーザーのうちの第２のユーザーがある時間ジェスチャーをしなかったことを前記追加のデーターから決定するステップと、
を含み、
前記複数のユーザーの各々に対応する少なくとも１つの視覚表現をレンダリングすることが、
前記第２のユーザーが何もしていないことの指示を前記第２のユーザーにレンダリングすること、
を含む、方法。
【請求項１６】
請求項１記載の方法であって、更に、
前記物理空間の追加のデーターを取り込むステップと、
レンダリングされた前記情報のプレゼンテーションと相互作用する制御を、前記複数のユーザーのうちの第２のユーザーが要求したことを前記追加のデーターから決定するステップと、
前記要求に応答して、レンダリングされた前記情報のプレゼンテーションと相互作用する制御を前記第２のユーザーに与えるステップと、
を含む、方法。
【請求項１７】
コンピューター実行可能命令をもったコンピューター読み取り可能記憶媒体であって、前記コンピューター実行可能命令がコンピューターで実行されると、前記コンピューターに、
情報のプレゼンテーションをレンダリングする動作と、
物理空間のデーターを取り込む動作であって、取り込まれた前記データーが、前記物理空間における複数のユーザーを表す、動作と、
前記物理空間の取り込まれた前記データーに基づいて、前記複数のユーザーのうちの第１のユーザーの識別を決定する動作と、
前記第１のユーザーの前記識別に基づき、前記第１のユーザーの格納されたユーザー・プロファイルにアクセスする動作であって、前記格納されたユーザー・プロファイルが、前記情報のプレゼンテーションを提示するために前記第１のユーザーがアクセスを有するかどうかを示す、動作と、
前記格納されたユーザー・プロファイルに基づき前記第１のユーザーが前記情報のプレゼンテーションを提示するためにアクセスを有することを決定する動作と、
前記第１のユーザーが前記プレゼンテーションを提示するためにアクセスを有することの決定に基づいて、レンダリングされた前記情報のプレゼンテーションを前記第１のユーザーが制御できることを決定する動作と、
前記複数のユーザーの各々に対応する少なくとも１つの視覚表現をレンダリングする動作であって、前記少なくとも１つの視覚表現が、前記レンダリングされた情報のプレゼンテーションと相互作用するように構成された、動作と、
を含む動作を実行させる、コンピューター読み取り可能記憶媒体。
【請求項１８】
請求項１７記載のコンピューター読み取り可能記憶媒体であって、更にコンピューター実行可能命令をもち、該コンピューター実行可能命令がコンピューターで実行されると、前記コンピューターに、
前記物理空間の追加のデーターを取り込む動作と、
前記追加のデーターに基づいて、前記複数のユーザーのうちの第２のユーザーの識別を決定する動作と、
取り込まれた前記追加のデーターに基づいて前記情報のプレゼンテーションを受ける要求を示す動きまたはポーズを前記第２のユーザーが行ったと決定する動作と、
前記第２のユーザーの識別に基づいて前記第２のユーザーの電子メール・アドレスを決定する動作と、
前記第２のユーザーの動きまたはポーズに基づいて前記第２のユーザーに対し前記情報のプレゼンテーションを電子メールで知らせる動作と、
を含む動作を実行させる、コンピューター読み取り可能記憶媒体。
【請求項１９】
請求項１７記載のコンピューター読み取り可能記憶媒体であって、更にコンピューター実行可能命令をもち、該コンピューター実行可能命令がコンピューターで実行されると、前記コンピューターに、
前記物理空間の追加のデーターを取り込む動作と、
取り込まれた前記追加のデーターに基づいて前記複数のユーザーのうちの第２のユーザーが注目していないあるいは警戒していないと決定する動作と、
前記第２のユーザーの注目していないあるいは警戒していないことを前記第１のユーザーに知らせる動作と、
を含む動作を実行させる、コンピューター読み取り可能記憶媒体。
【請求項２０】
請求項１７記載のコンピューター読み取り可能記憶媒体であって、更にコンピューター実行可能命令をもち、該コンピューター実行可能命令がコンピューターで実行されると、前記コンピューターに、
前記物理空間の追加のデーターを取り込む動作と、
前記情報のプレゼンテーションの現在の部分が大量のテキストを含むときに前記複数のユーザーのうちの第２のユーザーが注目していないあるいは警戒していないと決定する動作と、
前記情報のプレゼンテーションの今後の部分が大量のテキストを含むことを前記ユーザーに知らせる動作と、
を含む動作を実行させる、コンピューター読み取り可能記憶媒体。
【請求項２１】
システムであって、
プロセッサーと、
コンピュータ実行可能命令をもったメモリーと、
を含み、
前記コンピュータ実行可能命令がプロセッサーで実行されると、前記プロセッサーに、
情報のプレゼンテーションをレンダリングする動作と、
物理空間のデーターを取り込む動作であって、取り込まれた前記データーが、前記物理空間における複数のユーザーを表す、動作と、
前記物理空間の取り込まれた前記データーに基づいて、前記複数のユーザーのうちの第１のユーザーの識別を決定する動作と、
前記第１のユーザーの前記識別に基づき、前記第１のユーザーの格納されたユーザー・プロファイルにアクセスする動作であって、前記格納されたユーザー・プロファイルが、前記情報のプレゼンテーションを提示するために前記第１のユーザーがアクセスを有するかどうかを示す、動作と、
前記格納されたユーザー・プロファイルに基づき前記第１のユーザーが前記情報のプレゼンテーションを提示するためにアクセスを有することを決定する動作と、
前記第１のユーザーが前記プレゼンテーションを提示するためにアクセスを有することの決定に基づいて、レンダリングされた前記情報のプレゼンテーションを前記第１のユーザーが制御できることを決定する動作と、
前記複数のユーザーの各々に対応する少なくとも１つの視覚表現をレンダリングする動作であって、前記少なくとも１つの視覚表現が、前記レンダリングされた情報のプレゼンテーションと相互作用するように構成された、動作と、
を含む動作を実行させる、システム。